(57)【要約】【課題】電気接続用のコンタクト及び機器への固定用のナットがハウジングに確実に保持され、組立容易な構造を有するジャックを提供する。【解決手段】リード線２０・３０付きコンタクト２・３がハウジング１の裏面１ｂから挿入され、ナット４が切り欠き溝１４に保持される。リード線２０・３０がリード線挿通溝５ａ・５ｂで囲われた状態を維持しつつ、櫛歯状の凹凸部が形成されるカバー５の他片５２の両端５ｃ・５ｄを、ハウジング１の裏面１ｂに形成された櫛歯状の凹凸部が形成される一対のガイド溝１５ａ・１５ｂに侵入させ、更にスライドさせる。カバー５の他片５２がハウジング１の裏面１ｂを閉塞させ、カバー５の一片５１は切り欠き溝１４を閉塞させる。コンタクト２・３及びナット４が容易に移動せず、更に、組立容易な構造とした。【選択図】        図４
2006080009.tif 000002
【特許請求の範囲】
【請求項１】
相手側プラグが挿入されるためのプラグ挿入口が一方の面に開口し、このプラグ挿入口を開口とするコンタクト挿入室が設けられ、前記プラグ挿入口と対向する他方の面に設けられるコンタクト挿入開口が前記コンタクト挿入室に連通している略直方体形状の絶縁性のハウジングと、
リード線を圧着により接続する圧着部を有し、このリード線が圧着部に圧着された状態で前記コンタクト挿入開口から前記コンタクト挿入室に挿入され、このリード線が前記他方の面から延出されるように前記ハウジングに組み込まれる導電性のコンタクトと、
機器に固定されるためのナットであって、前記他方の面から前記一方の面に向けて形成される切り欠き溝に挿入され、回転が抑制されるようにこの切り欠き溝に挟持されるナットと、
一片と他片で略Ｌ字形状に構成され、この一片は前記ナットが保持される切り欠き溝を閉塞し、この他片は前記ハウジングの他方の面を閉塞するカバーと、を備えており、
前記コンタクト挿入開口が設けられるハウジングの他方の面には、互いに対向しかつ前記切り欠き溝が形成される第１側面からこの第１側面に対向する第２側面に至る一対のガイド溝が設けられ、
前記カバーの他片の一端部側に前記リード線が延出可能なリード線挿通溝が設けられると供に、このカバーの他片の両端が前記一対のガイド溝にスライド可能に嵌合され、
前記カバーの他片を前記ハウジングの他方の面に向って前記リード線の延出方向と平行に移動するときに、前記カバーの他片の両端が前記一対のガイド溝に侵入可能となるように、このカバーの他片の両端は櫛歯状の凹凸部が形成される一方、この一対のガイド溝を形成する対向する両辺は前記カバーの凹凸部に対応する櫛歯状の凹凸部が形成され、
前記ハウジングの一対のガイド溝に前記カバーの他片の両端がスライドして嵌合した状態では、前記ハウジングの他方の面を閉塞させる前記カバーの他片は前記コンタクトの移動を防止可能とすると共に、前記切り欠き溝を閉塞させる前記カバーの一片は前記ナットの移動を防止可能とすることを特徴とするジャック。
【請求項２】
請求項１記載のジャックにおいて、
前記ハウジングは、前記他方の面から延出されるリード線と平行に第１側面から延出される柱形状片が設けられ、
前記カバーの他片は、前記リード線挿通溝が形成される隆起部が設けられ、
前記他方の面から延出されるリード線を当該リード線挿通溝が囲った状態で前記カバーの他片を前記ハウジングの前記他方の面と平行にスライドすると、前記リード線挿通溝は前記コンタクト挿入開口とつながっており、当該リード線は前記柱形状片と前記隆起部で包囲されることを特徴とするジャック。
【請求項３】
請求項１又は２に記載のジャックにおいて、
前記カバーの他片の他端部側に楔状のロックアームが突出形成され、前記ハウジングにおける他方の面の他端部側にラッチ部が設けられ、前記一対のガイド溝に案内されて前記カバーの他片がスライドすると、前記楔状のロックアームが前記ラッチ部に係止されることを特徴とするジャック。
【請求項４】
請求項１から３のいずれかに記載のジャックにおいて、
前記コンタクトは、前記リード線と第１の圧着部において圧着により接続された中空であって柱形状をしている中空柱形状コンタクトを含み、
前記コンタクト挿入開口は、当該中空柱形状コンタクトを挿入するための第１の開口を含むことを特徴とする特徴とするジャック。
【請求項５】
請求項４記載のジャックにおいて、
前記中空柱形状コンタクトは、前記第１の圧着部に向かう前記中空柱形状の基端部近傍に、Ｌ字型の舌片を有し、
前記コンタクト挿入室が、前記中空柱形状コンタクトを挿入する第１の挿入室を含み、
前記第１の開口は、前記中空柱形状コンタクトを当該第１の挿入室に挿入するように開口し、
前記第１の挿入室は、前記中空柱形状コンタクトを柱軸に沿って挿入させる柱挿入開口と、
この柱挿入開口の近傍に、前記Ｌ字型の舌片に係合して前記中空柱形状コンタクトの柱軸を中心とする回転を抑制する第１の係止部と、
前記中空柱形状コンタクトの前記柱挿入開口への挿入の際に前記Ｌ字型の舌片に当接して所定の位置に止める第２の係止部と、を含むことを特徴とするジャック。
【請求項６】
請求項１から３のいずれかに記載のジャックにおいて、
前記コンタクトは、前記リード線と第２の圧着部において圧着により接続された弾性可動接触子を有する断面形状がＪ字型となるＪ字型コンタクトを含み、
前記コンタクト挿入開口は、当該Ｊ字型コンタクトを挿入するための第２の開口を含むことを特徴とするジャック。
【請求項７】
請求項６記載のジャックにおいて、
前記Ｊ字型コンタクトは、
Ｊ字型の主縦断面を構成する矩形の背面板と、
この矩形の背面板から前面にある前記弾性可動接触子へ向かう途中に配置され前記弾性可動接触子の弾性による戻し力を担保する屈曲部と、
この矩形の背面板の両翼からＬ字状に前記弾性可動接触子の形成方向に延びる対向する一対のガイド板と、を有し、
前記コンタクト挿入室が、前記Ｊ字型コンタクトを挿入する第２の挿入室を含み、
前記第２の開口は、前記Ｊ字型コンタクトを当該第２の挿入室に挿入するように開口し、
前記第２の挿入室は、前記Ｊ字型コンタクトを前記第２の挿入室に導くように前記一対のガイド板を案内する一対のスリットを含むことを特徴とするジャック。
【発明の詳細な説明】
【技術分野】
【０００１】
本発明は、ノートパソコン等の携帯型電子機器に使用される電気的な信号やエネルギを伝達するジャックに関し、特にジャックに用いられるハウジングやコンタクト等の構造に関する。
【背景技術】
【０００２】
携帯型電子機器は直流で動作されるものが多く、ＡＣアダプタによって家庭用の交流電源の電圧をステップダウンさせると同時に直流に変換して携帯型電子機器の電源としている。多くのＡＣアダプタはプラグ付きケーブルが用いられており、このプラグが携帯型電子機器に備えられる直流用の電源ジャックに挿入されて電気的に接続され、携帯型電子機器に直流電源が供給される。
【０００３】
このような電源ジャックの例としては、ジャックは、中空柱形状のコンタクトとＪ字型のコンタクトとを備えており、これら両コンタクトと専用のリード線との電気的接合を圧着により行い、この両圧着部を機械的な変形にさらされにくいジャックのハウジング内に配置し、更に、ジャックから延出する両リード線によってもこの両圧着部に機械的な力が働きにくい構造としたジャックが発明されている（例えば、特許文献１参照）。
【０００４】
前述の特許文献１によるジャックは、組立時又は使用時に機械的な変形を受けても接触不良を起こしにくいことを特徴としている。
【特許文献１】特開２００３−３３２０００号公報
【発明の開示】
【発明が解決しようとする課題】
【０００５】
図１６は、特許文献１の発明による従来のジャックの斜視外観図である。本願の図１６は特許文献１の図５に対応している。図９において、ジャック９０は、絶縁性のハウジング９１と、中空柱形状のコンタクト９２と、Ｊ字型のコンタクト９３と、カバー９４で構成されている。ハウジング９１の表面９ａには、相手側プラグが挿入されるプラグ接続開口が形成され、このプラグ接続開口を開口とするコンタクト挿入室をハウジング９１は備えている。更に、このコンタクト挿入室に連通するコンタクト挿入開口がハウジング９１の裏面９ｂに開口している。
【０００６】
一組のコンタクト９２・９３は、それぞれ専用のリード線９２ｗ・９３ｗが圧着されている。コンタクト９２は、前記コンタクト挿入室に連通する第１挿入室９２１に挿入されている。コンタクト９３は、前記コンタクト挿入室に連通する第２挿入室９３１に挿入されている。そして、リード線９２ｗ・９３ｗは、コンタクト９２・９３の挿入方向と直交する方向に形成されたリード線挿通溝９２０・９３０に沿ってそれぞれ延出している。
【０００７】
図１６において、カバー９４の両側９４２・９４３は、ハウジング９１の裏面９ｂに形成された対向する一対のガイド溝９２３・９３３に案内されて第１側面９ｃの方向からスライドできる。そして、ハウジング９１の裏面９ｂに装着されたカバー９４は、相手側プラグが挿入されたときにコンタクト９２・９３が飛び出すのを防止している。
【０００８】
図１６に示されたジャック９０は、相手側プラグが挿入される方向と直交する方向にリード線９２ｗ・９３ｗが延出している。又、図１６に示されたジャック９０は、ハウジング９１の表面側の周囲にスリット９１ｓが形成されている。ハウジング９１の取り付け穴となる分割されたパネルがスリット９１ｓに入り、閉じることによって、ジャック９０は当該パネルに固定される。
【０００９】
しかしながら、ジャックが取り付けられる機器の内部構成によっては、相手側プラグが挿入される方向から延長する方向に、コンタクトに圧着されるリード線が延出されることが求められる場合がある。更に、ジャックの裏面から表面に向けて第１側面に切り欠きが形成され、この切り欠きにナットが回転しないように保持され、このナットによってジャックを機器（多くの場合はパネル）に固定することが求められる場合がある。
【００１０】
このような要求に対応するジャックは、従来のジャックと同様に、組立時又は使用時に機械的な変形を受けても接触不良を起こしにくい構造が求められる。特に、相手側プラグが挿入されてもコンタクトが移動しないことが求められる。更に、ジャックの組立後にナットが移動しないことなどが求められる。加えて、ジャックの組立が簡易であることが求められる。
【００１１】
本発明は、上述した課題を解決すべく、電気接続用のコンタクト及び機器への固定用のナットがハウジングに確実に保持され、組立容易な構造を有するジャックを提供することを目的とする。
【課題を解決するための手段】
【００１２】
発明者は、前記目的を満たすため、コンタクトが圧着されるリード線の延出面（ジャックの裏面）及びナットが保持される切り欠き溝を、略Ｌ字形状に構成されるカバーで覆う構造とし、更に、このカバーをジャックの裏面方向から容易に装着できる構造とし、以下のような新たなジャックを発明した。
【００１３】
（１）  相手側プラグが挿入されるためのプラグ挿入口が一方の面に開口し、このプラグ挿入口を開口とするコンタクト挿入室が設けられ、前記プラグ挿入口と対向する他方の面に設けられるコンタクト挿入開口が前記コンタクト挿入室に連通している略直方体形状の絶縁性のハウジングと、リード線を圧着により接続する圧着部を有し、このリード線が圧着部に圧着された状態で前記コンタクト挿入開口から前記コンタクト挿入室に挿入され、このリード線が前記他方の面から延出されるように前記ハウジングに組み込まれる導電性のコンタクトと、機器に固定されるためのナットであって、前記他方の面から前記一方の面に向けて形成される切り欠き溝に挿入され、回転が抑制されるようにこの切り欠き溝に挟持されるナットと、一片と他片で略Ｌ字形状に構成され、この一片は前記ナットが保持される切り欠き溝を閉塞し、この他片は前記ハウジングの他方の面を閉塞するカバーと、を備えており、前記コンタクト挿入開口が設けられるハウジングの他方の面には、互いに対向しかつ前記切り欠き溝が形成される第１側面からこの第１側面に対向する第２側面に至る一対のガイド溝が設けられ、前記カバーの他片の一端部側に前記リード線が延出可能なリード線挿通溝が設けられると供に、このカバーの他片の両端が前記一対のガイド溝にスライド可能に嵌合され、前記カバーの他片を前記ハウジングの他方の面に向って前記リード線の延出方向と平行に移動するときに、前記カバーの他片の両端が前記一対のガイド溝に侵入可能となるように、このカバーの他片の両端は櫛歯状の凹凸部が形成される一方、この一対のガイド溝を形成する対向する両辺は前記カバーの凹凸部に対応する櫛歯状の凹凸部が形成され、前記ハウジングの一対のガイド溝に前記カバーの他片の両端がスライドして嵌合した状態では、前記ハウジングの他方の面を閉塞させる前記カバーの他片は前記コンタクトの移動を防止可能とすると共に、前記切り欠き溝を閉塞させる前記カバーの一片は前記ナットの移動を防止可能とすることを特徴とするジャック。
【００１４】
本発明のジャックは、略直方体形状の絶縁性のハウジングを備えている。このハウジングは、相手側プラグが挿入されるためのプラグ挿入口が一方の面に開口している。又、このハウジングは、このプラグ挿入口を開口とするコンタクト挿入室が設けられている。更に、このハウジングは、前記プラグ挿入口と対向する他方の面にコンタクト挿入開口が設けられている。このコンタクト挿入開口はコンタクト挿入室に連通している。
【００１５】
絶縁性のハウジングとは、非導電性の材料からなるハウジングのことであってよく、例えば、ＰＰＳ（ｐｏｌｙｐｈｅｎｙｌｅｎｅ  ｓｕｌｆｉｄｅ）やＰＢＴ（ｐｏｌｙｂｕｔｙｌｅｎｅ  ｔｅｒｅｐｈｔｈａｌａｔｅ）などのエンジニアリングプラスチックを成型して、略直方体形状のハウジングを得ることができる。
【００１６】
プラグ接続開口は、ハウジング外部より相手側プラグが挿入される開口であってよく、相手側プラグが挿入されるための面積又は外形を有していればよい。又、例えば、プラグ接続開口は、相手側プラグが挿入されるときにのみ開く開口であってもよく、例えば、ヒンジで結合された扉で開口が密閉され、相手側プラグが挿入されるのと連動して前記扉が開く機構を備えた開口を含んでよい。
【００１７】
プラグ接続開口は、相手側プラグの挿入端子に適合する形状が好ましく、例えば、円形であってもよく、正四角形を含む矩形であってもよい。プラグ接続開口が円形の場合は、コンタクト挿入室は概円柱形状の空間となってよく、プラグ接続開口が矩形の場合は、コンタクト挿入室は概直方体状の空間となってもよい。プラグ接続開口が円形であって、コンタクト挿入室は概直方体状の空間となってもよい。
【００１８】
一方の面とは、相手側プラグが挿入される側の面であって、例えば、この一方の面がパネルから露出してもよく、プラグ接続開口以外の一方の面がこのパネルで遮蔽されてもよい。一方の面は、平面であってもよく、凹凸が形成される場合も一方の面に含まれる。例えば、円形のプラグ接続開口を内円とする筒体が一方の面から突出形成される場合も、一方の面に含まれる。一方の面は表面（オモテ面）と呼称される場合もある。又、プラグ挿入口と対向する他方の面は裏面（ウラ面）と呼称される場合もある。
【００１９】
コンタクト挿入室は、コンタクトを保持又は収納する場所を含む空間であって、ハウジング内に形成されるものを含んでよい。コンタクトはその一部が、コンタクト挿入室に挿入、保持、収納等により配置されてよい。
【００２０】
コンタクト挿入室に連通するコンタクト挿入開口は、コンタクトが挿入できる断面形状を有していることが好ましい。コンタクト挿入開口を開口とするコンタクト挿入室は、コンタクトを部分的に保持する幅（厚さ）を有する空間であって、ハウジング内に形成されるものが含まれる。
【００２１】
本発明のジャックは、導電性のコンタクトを備えている。このコンタクトは、リード線を圧着により接続する圧着部を有している。このコンタクトは、例えば、リード線が圧着部に圧着された状態でコンタクト挿入開口からコンタクト挿入室に挿入されている。そして、このコンタクトは、リード線が他方の面から延出されるように、ハウジングに組み込まれている。
【００２２】
導電性のコンタクトは、導電性の材料からなるコンタクトのことであってよく、導電性の金属からなることが好ましい。例えば、このコンタクトは、銅、鉄、アルミニウムなどの金属板を成型加工して得ることができる。加工容易性や導電性能（低電気抵抗）の上から、このコンタクトは、銅が使用されることが好ましい。
【００２３】
リード線とは、例えば、このジャックが取り付けられる電気機器に内装される電源回路に接続されて、電源用の電力を伝えるリード線であってよい。リード線は導電性の芯材に絶縁性の被膜材が覆われた電線である。リード線は単線であってよく、２本以上の複線であってもよい。
【００２４】
リード線を圧着により接続するというのは、一般に圧着端子において端子の部材の一部をリード線等の芯材を包み込むようにして折り曲げてその芯材を固定する圧着部を設け、この固定により電気的（時に、及び機械的）に接続することであってよい。圧着部には、いわゆる、コンダクタグリップが設けられてよい。又、リード線をその被覆材の上から包み込むようにして折り曲げてリード線を機械的に固定することを含んでいてよい。圧着部には、いわゆる、インシュレーショングリップが設けられてよい。
【００２５】
そして、コンタクトの圧着部にリード線が圧着された後に、このコンタクトは、コンタクト挿入開口からコンタクト挿入室に挿入される。コンタクトがコンタクト挿入室に挿入された状態では、リード線が他方の面から延出されている。なお、リード線は圧着部から所定長さに予め切断されている。
【００２６】
本発明のジャックは、ナットを備えている。このナットは、機器に固定されるためのナットである。このナットは、ハウジングの他方の面から一方の面に向けて形成される切り欠き溝に挿入されている。そして、このナットは、回転が抑制されるように切り欠き溝に挟持されている。
【００２７】
このナットは、例えば、六角ナットでよく、四角ナットでもよく、円形の外周の対向する２辺が弦となって切り落とされた特殊ナットでもよい。このナットは、切り欠き溝に挟持されて回転が抑制される対向する２辺を有していればよい。このナットは、切り欠き溝に挿入する自由度を確保するためには、六角ナットが好ましく、締め付け力を確保するために、プリベリングトルク形（高トルク形）六角ナットとしてもよい。
【００２８】
このナットを備えるジャックは、例えば、機器に備わるパネルの内側にジャック取り付け部材を設け、このジャック取り付け部材を介してねじなどの締結具でジャックを固定することができる。締め付け力を確保するためには、このナットは金属ナットが好ましい。
【００２９】
本発明のジャックは、カバーを備えている。このカバーは一片と他片で略Ｌ字形状に構成されている。このカバーの一片はナットが保持される切り欠き溝を閉塞する。このカバーの他片はハウジングの他方の面を閉塞する。
【００３０】
このカバーがハウジングの切り欠き溝及び他方の面を閉塞するというのは、少なくともこれら部位がカバーで覆われることにより、外部からこれら部位が見えなくなったり、外部からこれら部位が電気的又は物理的に接触できなくなることを含んでよい。
【００３１】
このカバーは、ハウジングと同じく非導電性の材料からなることが好ましく、非導電性の材料であれば、ハウジングと同材質であることに限定されない。このカバーは、例えば、エンジニアリングプラスチックを成型して、略Ｌ字形状のカバーを得ることができる。
【００３２】
本発明のジャックは、コンタクト挿入開口が設けられるハウジングの他方の面に、一対のガイド溝が設けられる。この一対のガイド溝は互いに対向しており、更に、この一対のガイド溝は、切り欠き溝が形成される第１側面からこの第１側面に対向する第２側面に至っている。
【００３３】
この一対のガイド溝は、例えば、方形に形成されており、ハウジングの他方の面から一対のＬ字状辺が隆起されて、この一対のガイド溝が形成される。他方の面の一部はこの一対のガイド溝を含んでいる。
【００３４】
本発明のジャックは、カバーの他片の一端部側にリード線が延出可能なリード線挿通溝が設けられる。そして、カバーの他片の両端が一対のガイド溝にスライド可能に嵌合される。
【００３５】
更に、本発明のジャックは、このカバーの他片の両端は櫛歯状の凹凸部が形成される一方、この一対のガイド溝を形成する対向する両辺はカバーの凹凸部に対応する櫛歯状の凹凸部が形成される。そして、カバーの他片をハウジングの他方の面に向ってリード線の延出方向と平行に移動するときに、カバーの他片の両端が一対のガイド溝に侵入可能となる。
【００３６】
ここで、このカバーの他片の両端は複数の凹部が形成されると考えられてよく、前記凹部間が凸部を形成すると考えられてよい。そして、この複数の凸部の先端面は揃っており、この先端面がガイド溝のスライド面をなしていると考えられてよい。
【００３７】
一方、この一対のガイド溝を形成する対向する両辺は、カバーの他片の両端に形成された複数の凸部に対応した複数の凹部が形成されると考えられてよく、前記凹部間が凸部を形成すると考えられてよい。そして、当該両辺に形成されて凹部の底面は、当該ガイド溝のスライド面に一致していてもよい。
【００３８】
このように構成された本発明のジャックは、以下の手順でハウジングにカバーが装着される。なお、コンタクトは予めハウジングに装着されており、リード線はハウジングの他方の面から延出されている。
【００３９】
最初に、カバーの他片に形成されたリード線挿通溝にリード線が囲まれるように、カバーとハウジングを配置する。このとき、カバーの一片の先端は、一定の間隔を有して、ナットが保持される切り欠き溝に対向している。又、カバーの他片は、一定の間隔を有して、ハウジングの他方の面に対向している。
【００４０】
次に、カバーの他片とハウジングの他方の面を相互に近づけ、カバーの他片の両端を一対のガイド溝に侵入させる。この間、リード線はリード線挿通溝に囲まれている。
【００４１】
次に、カバーを第１側面から第２側面に向って所定距離スライドさせる。そして、ハウジングの一対のガイド溝にカバーの他片の両端がスライドして嵌合した状態では、カバーの一片はナットが保持される切り欠き溝を閉塞し、カバーの他片はハウジングの他方の面を閉塞する。
【００４２】
このようにして、組み立てられたジャックは、コンタクトの移動を防止可能とすると共に、ナットの移動を防止可能としている。又、比較的短いスライド距離でカバーをハウジングに装着できる。
【００４３】
本発明のジャックは、相手側プラグが挿入される方向から延長する方向に、コンタクトに圧着されるリード線が延出され、ハウジングに保持されたナットによって機器に固定されるジャックであって、電気接続用のコンタクト及びパネルへの固定用のナットがハウジングに確実に保持され、組立容易な構造を有するジャックを提供できる。
【００４４】
（２）  （１）記載のジャックにおいて、前記ハウジングは、前記他方の面から延出されるリード線と平行に第１側面から延出される柱形状片が設けられ、前記カバーの他片は、前記リード線挿通溝が形成される隆起部が設けられ、前記他方の面から延出されるリード線を当該リード線挿通溝が囲った状態で前記カバーの他片を前記ハウジングの前記他方の面と平行にスライドすると、前記リード線挿通溝は前記コンタクト挿入開口とつながっており、当該リード線は前記柱形状片と前記隆起部で包囲されることを特徴とするジャック。
【００４５】
本発明のジャックは、他方の面から延出されるリード線と平行に第１側面から延出される柱形状片がハウジングに設けられている。カバーの他片は、リード線挿通溝が形成される隆起部が設けられる。
【００４６】
リード線が延出されるリード線挿通溝は、リード線が物理的に通るところであってよく、例えば、カバーの隆起部にＵ字状の溝が形成された場合に、このＵ字溝がリード線挿通溝になり得る。
【００４７】
本発明のジャックは、他方の面から延出されるリード線をリード線挿通溝が囲った状態で、カバーの他片をハウジングの他方の面と平行にスライドすると、リード線挿通溝はコンタクト挿入開口とつながる。そして、リード線は柱形状片と隆起部で包囲される。
【００４８】
ここで、リード線をリード線挿通溝が囲った状態とは、圧着部以降のリード線を囲った状態を含んでいる。又、柱形状片はハウジングの一部と見なされてよく、リード線挿通溝はコンタクト挿入開口とつながり、ハウジングとカバーで包囲された圧着部以降のリード線をジャック外に延出している。
【００４９】
このように構成されたジャックは、圧着部及び圧着部近傍のリード線を外部から機械的変形を受けにくいものとしている。同時に、外部からの物理的及び電気的な接触を遮蔽できる構造としている。特に、使用時において圧着部が視覚的にも遮蔽されるので、使用者に安全感を与えられると考えられる。
【００５０】
（３）  （１）又は（２）に記載のジャックにおいて、前記カバーの他片の他端部側に楔状のロックアームが突出形成され、前記ハウジングにおける他方の面の他端部側にラッチ部が設けられ、前記一対のガイド溝に案内されて前記カバーの他片がスライドすると、前記楔状のロックアームが前記ラッチ部に係止されることを特徴とするジャック。
【００５１】
本発明のジャックは、カバーの他片の他端部側に楔状のロックアームが突出形成されている。又、ハウジングにおける他方の面の他端部側にラッチ部が設けられている。そして、一対のガイド溝に案内されてカバーの他片がスライドすると、楔状のロックアームがラッチ部に係止される。
【００５２】
このように、本発明のジャックは、スライドするカバーにロック機構を設けて、一度、カバーでハウジングを閉塞したら、容易に開けにくい構造としている。なお、ロックアームの両翼となるカバーの他片の他端部側からスリットを設け、カバーの他片の他端部側をこじ開けて、強制的にロックを解除する構造とすることもできる。
【００５３】
（４）  （１）から（３）のいずれかに記載のジャックにおいて、前記コンタクトは、前記リード線と第１の圧着部において圧着により接続された中空であって柱形状をしている中空柱形状コンタクトを含み、前記コンタクト挿入開口は、当該中空柱形状コンタクトを挿入するための第１の開口を含むことを特徴とする特徴とするジャック。
【００５４】
本発明のジャックは、コンタクトは中空柱形状コンタクトを含んでいる。中空柱形状コンタクトは、リード線と第１の圧着部において圧着により接続された中空であって柱形状をしている。又、コンタクト挿入開口は、中空柱形状コンタクトを挿入するための第１の開口を含んでいる。
【００５５】
ここで、第１の圧着部とは、後に述べる第２の圧着部と区別するためであり、中空柱形状コンタクトに接続されている。中空柱形状コンタクトは、例えば、板材をプレス等により折り曲げて筒状にしたもののように、柱の中が空洞になった形状を含む形態をとることができる。このとき、基端部に開口があってもよく、この開口に圧入ピンが挿入されていてもよい。中空柱形状コンタクトをハウジングに組立後に姿勢が安定すると考えられるからである。
【００５６】
尚、基端部とは、柱形状形状の端近傍で、第１の圧着部に近い方をいってよい。基端部の反対側の先端部は、基端部と異なり、閉じており、接続相手のプラグとの係合性が向上したり、見栄えが良くなるとも考えられる。中空柱形状コンタクトの柱形状部分は、限定されること無く、円柱形状や角柱形状等の形状をもつことができ、また、鉛直に延びず斜めに延びたり、途中で曲がる形状であってもよい。
【００５７】
これらの形状は、接続相手の形状と合うように調整される。コンタクト挿入開口は、この中空柱形状コンタクトを挿入するための第１の開口を含んでよく、通常、コンタクト挿入開口は第１の開口以上の大きさを有する。この第１の開口には、以下に述べるような機能を有する部材を配置したり、部位を設けることができる。
【００５８】
（５）  （４）記載のジャックにおいて、前記中空柱形状コンタクトは、前記第１の圧着部に向かう前記中空柱形状の基端部近傍に、Ｌ字型の舌片を有し、前記コンタクト挿入室が、前記中空柱形状コンタクトを挿入する第１の挿入室を含み、前記第１の開口は、前記中空柱形状コンタクトを当該第１の挿入室に挿入するように開口し、前記第１の挿入室は、前記中空柱形状コンタクトを柱軸に沿って挿入させる柱挿入開口と、この柱挿入開口の近傍に、前記Ｌ字型の舌片に係合して前記中空柱形状コンタクトの柱軸を中心とする回転を抑制する第１の係止部と、前記中空柱形状コンタクトの前記柱挿入開口への挿入の際に前記Ｌ字型の舌片に当接して所定の位置に止める第２の係止部と、を含むことを特徴とするジャック。
【００５９】
本発明のジャックは、中空柱形状コンタクトが、第１の圧着部に向かう中空柱形状の基端部近傍にＬ字型の舌片を有している。そして、コンタクト挿入室が、中空柱形状コンタクトを挿入する第１の挿入室を含んでいる。第１の開口は、中空柱形状コンタクトを第１の挿入室に挿入するように開口している。
【００６０】
ここで、Ｌ字型舌片は、中空柱形状コンタクトの基端部近傍に配置され、例えば、柱軸に対して略直角に延びている舌片を含んでよい。第１の挿入室は、中空柱形状コンタクトを挿入できる形状をしており、通常は、柱軸方向に挿入する形状をしているが、これに限定されるものではなく、柱軸方向に略直角な方向に挿入する場合を含んでよい。例えば、柱軸方向に挿入されたとすると、第１の挿入室は、柱の断面形状に合わせた形状をした第１の開口を有してよい。
【００６１】
第１の挿入室は、柱挿入開口と、第１の係止部と、第２の係止部と、を含んでいる。柱挿入開口は中空柱形状コンタクトを柱軸に沿って挿入させる。又、第１の係止部は、この柱挿入開口の近傍に、Ｌ字型の舌片に係合して中空柱形状コンタクトの柱軸を中心とする回転を抑制する。第２の係止部は、中空柱形状コンタクトを柱挿入開口への挿入の際にＬ字型の舌片に当接して所定の位置に止める。
【００６２】
柱挿入開口は、柱の断面形状に合わせた形状（例えば、円形）をしており、そのクリアランスは比較的小さいのが好ましく、このことにより中空柱形状コンタクトの姿勢が安定する。
【００６３】
Ｌ字型舌片は、ランスとしての機能を含むことができ、柱挿入開口の近傍に設けられた第１及び第２の係止部に従って、又、規定されて挿入される。中空柱形状コンタクトの柱軸を中心とする回転を抑制する第１の係止部は、例えば、後述する第２の係止部に形成された段差壁を含んでよく、時に、ランスと呼ばれるヤリ状の突起であってもよい。
【００６４】
中空柱形状コンタクトを第１の開口から挿入し、その柱部分を柱挿入開口を通して挿入し、中空柱形状コンタクトをハウジング内の所定位置に配置する際に、挿入進行を止める第２の係止部をハウジングが含んでいてよい。
【００６５】
この第２の係止部は、Ｌ字型舌片に当接して中空柱形状コンタクトの進行を止めるが、柱挿入開口に連通する段差として設けることができる。すなわち、第１の係止部により回転方向の自由度が制限された中空柱形状コンタクトにおける舌片の底の端部が、例えば、このような段差に当接し、中空柱形状コンタクトの挿入（進行）を止めることができる。
【００６６】
（６）  （１）から（３）のいずれかに記載のジャックにおいて、前記コンタクトは、前記リード線と第２の圧着部において圧着により接続された弾性可動接触子を有する断面形状がＪ字型となるＪ字型コンタクトを含み、前記コンタクト挿入開口は、当該Ｊ字型コンタクトを挿入するための第２の開口を含むことを特徴とするジャック。
【００６７】
本発明のジャックは、コンタクトはＪ字型コンタクトを含んでいる。Ｊ字型コンタクトは、リード線と第２の圧着部において圧着により接続された弾性可動接触子を有する断面形状がＪ字型となっている。又、コンタクト挿入開口は、Ｊ字型コンタクトを挿入するための第２の開口を含んでいる。
【００６８】
ここで、弾性可動接触子を有する断面形状がＪ字型となるコンタクトとは、弾性により接触圧を担保できる接触子を含んでよい。また、その略中央の断面形状がＪ字型をしているものを含んでよい。第２の開口は、かかるコンタクトを挿入できるように開いた開口であり、その性質は、第１の開口と略同じである。
【００６９】
（７）  （６）記載のジャックにおいて、前記Ｊ字型コンタクトは、Ｊ字型の主縦断面を構成する矩形の背面板と、この矩形の背面板から前面にある前記弾性可動接触子へ向かう途中に配置され前記弾性可動接触子の弾性による戻し力を担保する屈曲部と、この矩形の背面板の両翼からＬ字状に前記弾性可動接触子の形成方向に延びる対向する一対のガイド板と、を有し、前記コンタクト挿入室が、前記Ｊ字型コンタクトを挿入する第２の挿入室を含み、前記第２の開口は、前記Ｊ字型コンタクトを当該第２の挿入室に挿入するように開口し、前記第２の挿入室は、前記Ｊ字型コンタクトを前記第２の挿入室に導くように前記一対のガイド板を案内する一対のスリットを含むことを特徴とするジャック。
【００７０】
本発明のジャックは、Ｊ字型コンタクトが、矩形の背面板と、屈曲部と、対向する一対のガイド板と、を有している。矩形の背面板は、Ｊ字型の主縦断面を構成している。屈曲部は、矩形の背面板から前面にある弾性可動接触子へ向かう途中に配置されており、弾性可動接触子の弾性による戻し力を担保している。対向する一対のガイド板は、矩形の背面板の両翼からＬ字状に弾性可動接触子の形成方向に延びている。
【００７１】
ここで、矩形の背面板とは、Ｊ字型コンタクトの縦切り断面形状であるＪ字型をした形状の右側に見立てた縦長棒状形状である主縦断面が、背面から見れば、矩形に見える背面板を意味してよい。
【００７２】
Ｊ字型コンタクトの底のＪ字に見立てた屈曲部は、矩形の背面板から前面にある弾性可動接触子へ向かう途中に配置されており、弾性可動接触子に弾性による戻し力を担保していている。矩形の背面板の両側面からＬ字状に延びる一対のガイド板というのは、矩形の背面板の両側面から、延びた背面が略直角に曲げられている状態と考えることもできる。ただし、屈曲部の屈曲を確保するために折り曲げ部に切り込みが必要となることがある。結果として、これら一対のガイド板は、Ｊ字型コンタクトの弾性可動接触子の形成方向に延びてよい。
【００７３】
本発明のジャックは、コンタクト挿入室が、Ｊ字型コンタクトを挿入する第２の挿入室を含んでいる。第２の開口は、Ｊ字型コンタクトを第２の挿入室に挿入するように開口している。第２の挿入室は、Ｊ字型コンタクトを第２の挿入室に導くように一対のガイド板を案内する一対のスリットを含んでいる。
【００７４】
Ｊ字型コンタクトを挿入する第２の挿入室及び第２の開口は、前記中空柱形状コンタクトの場合と同様の条件があてはまる。一対のスリットは、一対のガイド板を挿入し、Ｊ字型コンタクトをスムーズにハウジングに挿入するように、一対のガイド板の動きを一方向に制限できる。
【発明の効果】
【００７５】
本発明のジャックは、相手側プラグが挿入される方向から延長する方向に、コンタクトに圧着されるリード線が延出され、ハウジングに保持されたナットによって機器に固定されるジャックであって、コンタクトが圧着されるリード線の延出面（ジャックの裏面）及びナットが保持される切り欠き溝を、略Ｌ字形状に構成されるカバーで覆う構造とし、更に、このカバーをジャックの裏面方向から容易に装着できる構造としたので、電気接続用のコンタクト及びパネルへの固定用のナットがハウジングに確実に保持され、組立容易な構造を有するジャックを提供できた。
【発明を実施するための最良の形態】
【００７６】
以下、図面を参照して本発明を実施するための最良の形態を説明する。
【００７７】
図１は、本発明の一実施形態によるジャックの組立手順（コンタクトの挿入）を示す斜視外観図である。図２は、前記一実施形態によるジャックの組立手順（ナットの挿入）を示す斜視外観図である。
【００７８】
又、図３は、前記一実施形態によるジャックの組立手順（カバーの係合前）を示す斜視外観図である。図４は、前記一実施形態によるジャックの組立手順（カバーの係合後）を示す斜視外観図である。図５は、前記一実施形態によるジャックの組立手順（カバーの侵入）を示す斜視外観図である。図６は、前記一実施形態によるジャックの組立手順（組立完成）を示す斜視外観図である。
【００７９】
更に、図７は、前記一実施形態によるジャックを表側から見た斜視外観図である。図８は、前記一実施形態によるカバーを裏側から見た斜視外観図である。図９は、前記一実施形態によるハウジングを裏側から見た斜視外観図である。図１０は、前記一実施形態によるＪ字型コンタクトの斜視外観図である。
【００８０】
そして、図１１は、前記一実施形態によるハウジングの平面図である。図１２は、図１１のＡ−Ａ矢視断面図である。図１３は、図１１のＢ−Ｂ矢視断面図である。図１４は、図１１のＣ−Ｃ矢視断面図である。図１５は、前記一実施形態によるジャックを適用した電気機器を示す斜視外観図である。
【００８１】
なお、実施の形態においては、本発明によるジャックは、中空柱形状コンタクトとＪ字型コンタクトとを備えているので、中空柱形状コンタクトが挿入されるコンタクト挿入室を「第１の挿入室」とし、Ｊ字型コンタクトが挿入されるコンタクト挿入室を「第２の挿入室」として区別して説明する。
【００８２】
又、「第１の挿入室」の開口となるコンタクト挿入開口を「第１の開口」とし、「第２の挿入室」の開口となるコンタクト挿入開口を「第２の開口」として区別して説明する。
【００８３】
まず、ハウジングを中心に簡単に本実施形態の構造機能を説明し、その後に、各図についてより詳しく説明する。
【００８４】
図１３の断面図に示されるように、ハウジング１は、相手側プラグが挿入されるためのプラグ挿入口１１が一方の面１ａ（以下、表面１ａという）に開口している。プラグ挿入口１１と対向する他方の面１ｂ（以下、裏面１ｂという）にコンタクト挿入開口１３が設けられる。ハウジング１の内部は、隔壁１ｐによって２種類のコンタクト挿入室１２１・１２２に仕切られている。
【００８５】
図１３に示されるように、隔壁１ｐの両側にはコンタクト挿入用の第１の開口１３１と第２の開口１３２が形成され、それぞれ、第１の挿入室１２１と第２の挿入室１２２に連通されている。
【００８６】
又、図１３又は図１４に示されるように、第１の挿入室１２１と第２の挿入室１２２は、隔壁１ｐの下方が連通されている。ハウジング１の裏面１ｂには、全体を臨むようにしてコンタクト挿入開口１３が形成されている。
【００８７】
図１１又は図１２に示すように、第１の開口１３１の周りには、ヤリ状に突出したランス１７が配設されている。ランス１７は、第１の開口１３１を開口とする段差部１８１の底壁から突出している。一方、図１１又は図１４に示すように、隔壁１ｐの両側には、一対のスリット１９１・１９２が配設されている。
【００８８】
図１に示されるように、第１の開口１３１に挿入される中空柱形状コンタクト２は、板材がプレス加工によって成形されている。中空柱形状コンタクト２は、円筒状のコンタクト本体２ａを備えている。更に、中空柱形状コンタクト２は、コンタクト本体２ａの基端部２ｂの近傍に設けた一対のＬ字型舌片２２１・２２２を備えている。一方のＬ字型舌片２２１は終端を有し、他方のＬ字型舌片２２２は、リード線２０と接続すべくその終端部は第１の圧着部２１を備えている。
【００８９】
中空柱形状コンタクト２のコンタクト本体２ａを、第１の開口１３１に挿入すると、一対のＬ字型舌片２２１・２２２が段差部１８１の底壁に当接して、コンタクト本体２ａが第１の挿入室１２１へ全て進入されることが阻止されると共に、ランス１７が一方のＬ字型舌片２２１に係合して、コンタクト本体２ａの後退も阻止され、コンタクト本体２ａが所定位置に保持される。一対のＬ字型舌片２２１・２２２がランス１７と段差部１８１に形成される段差壁に挟まれているため、コンタクト本体２ａの回転も阻止される（図３参照）。
【００９０】
ここで、ランス１７は、中空柱形状コンタクト２の柱軸を中心とする回転を抑制する第１の係止部とすることができる。又、段差部１８１は、中空柱形状コンタクト２を所定の位置に止める第２の係止部とすることができる。
【００９１】
図１４に示されるように、第２の開口１３２は横断面が矩形に形成されていて、その隔壁１ｐの両隅には一対のスリット１９１・１９２が裏面１ｂから表面１ａに至っている。一対のスリット１９１・１９２は裏面１ｂ側に開口している。第２の挿入室１２２における背面側の開口１１６と対向する箇所には、図１３に示すように、小片（又はランス）１２６が配設されている。この小片１２６は、ハウジング１の窓２１７の周縁から、断面「へ」の字形の薄肉部を延出させて形成されている。
【００９２】
図１０に示されるＪ字型コンタクト３は、板材がプレス加工によって成形されたもので、コンタクト本体３ａと、コンタクト本体３ａの基端部３ｂから略平行に延出させたリード線３０との接続のための第２の圧着部３１とからなる。
【００９３】
図１又は図１０に示されるように、コンタクト本体３ａは、矩形の背面板３ｃと、背面板３ｃの両側縁からＬ字状に折り曲げて延出する一対のガイド板３１１・３１２と、背面板３ｃの下側の屈曲部３ｄにおいて折り返す弾性可動接触子３ｅと、背面板３ｃの上側においてＬ字状に折り曲げて延出する当接片３ｆと、背面板３ｃの中央部に設けた楔隆起部（又はランス）３ｇと、を備えている。
【００９４】
なお、弾性可動接触子３ｅにおける先端の延長部材の両端を、一対のガイド板３１１・３１２に設けられた開口３１３・３１４に係合させることで、プラグの挿抜にともなう弾性可動接触子３ｅの変動ストロークを規制できる。
【００９５】
Ｊ字型コンタクト３をハウジング１に組み立てる場合には、一対のガイド板３１１・３１２を一対のスリット１９１・１９２に係合させてコンタクト本体３ａを第２の開口１３２に挿入する（図１参照）。
【００９６】
一対のガイド板３１１・３１２の先端（先端エッジに相当）が第２の挿入室１２２の底部内壁に当接すると、コンタクト本体３ａの更なる進入が阻止されるとともに、ランス１２６がランス３ｇに係合して、コンタクト本体３ａの後退が阻止される（図１参照）。これによって、コンタクト本体３ａが第２の挿入室１２２の所定位置に保持されることになる。このとき、弾性可動接触子３ｅが隔壁１ｐの開口１１６から正極側の第１の挿入室１２１内に突出する。
【００９７】
図９又は図１２に示されるように、表面１ａと裏面１ｂと両辺を共有する第１側面１ｃには、図２に示されるナット４が挿入される切り欠き溝１４が形成されている。切り欠き溝１４は、裏面１ｂから表面１ａに向けて切り欠かれている。切り欠き溝１４は、第１側面１ｃから延出される一対の柱形状片１４１・１４２にも延長して設けられている。
【００９８】
図２に示されるナット４は、円柱形状のナット本体４ａの中間部に側周囲が六角形のフランジ４ｂを有している。円柱形状のナット本体４ａの中心に雌ねじが形成されている。ナット４は、締め付け力を確保するために、いわゆる、プリベリングトルク形（高トルク形）六角ナットとなっている。
【００９９】
図１１又は図１２に示されるように、切り欠き溝１４は、第１切り欠き溝１４ａと第２切り欠き溝１４ｂと第３切り欠き溝１４ｃの３層の空間を形成している。第１切り欠き溝１４ａの横幅は、円柱形状のナット本体４ａの外径より僅かに大きくなっている。
【０１００】
第２切り欠き溝１４ｂの横幅は、六角形のフランジ４ｂの対辺距離より僅かに大きく形成され、この第２切り欠き溝１４ｂにナット４が挟持されて回転が抑制される。第３切り欠き溝１４ｃの横幅は、円柱形状のナット本体４ａの外径より僅かに大きくなっている。第３切り欠き溝１４ｃは、Ｊ字型コンタクト３の一方のガイド板３１２が挿入されるスリット１９２に連通している。
【０１０１】
図９に示すように、コンタクト挿入開口１３が設けられるハウジング１の裏面１ｂには、一対のガイド溝１５ａ・１５ｂが設けられている。一対のガイド溝１５ａ・１５ｂは互いに対向しており、更に、一対のガイド溝１５ａ・１５ｂは、切り欠き溝１４が形成される第１側面１ｃからこの第１側面１ｃに対向する第２側面１ｄに至っている。
【０１０２】
一方、図８に示されたカバー５は一片５１と他片５２で略Ｌ字形状に構成されている。カバー５の一片５１はナット４が保持される切り欠き溝１４を閉塞する（図２参照）。カバー５の他片５２はハウジング１の裏面１ｂを閉塞する（図６参照）。
【０１０３】
図８に示されたカバー５の他片５２は、一端部側にリード線２０・３０（図３参照）が延出可能な一対のリード線挿通溝５ａ・５ｂが設けられている。図８に示されたカバー５の他片５２の両端５ｃ・５ｄが一対のガイド溝１５ａ・１５ｂ（図３参照）にスライド可能に嵌合される。
【０１０４】
図８に示されたカバー５の他片５２は、他端部側に楔状のロックアーム５４が突出形成されている。又、ハウジング１における裏面１ｂの他端部側にラッチ部１８が設けられている。そして、一対のガイド溝１５ａ・１５ｂに案内されてカバー５の他片５２がスライドすると、楔状のロックアーム５４がラッチ部１８に係止される。
【０１０５】
次に、このジャックの組立方法について説明する。
【０１０６】
予め、２種類のコンタクト２・３の各圧着部２１・３１を圧着して、各リード線２０・３０をコンタクト２・３に接続しておく（図１参照）。又、ナット４もハウジング１の切り欠き溝１４に予め挿入しておく（図２参照）。
【０１０７】
最初に、図１に示すようにＪ字型コンタクト３のコンタクト本体３ａを第２の開口１３２を通して第２の挿入室１２２に挿入・固定することで、圧着部３１以降のリード線３０がハウジング１の外に延出させる（図３参照）。
【０１０８】
次に、図１に示すように中空柱形状コンタクト２のコンタクト本体２ａを第１の開口１３１を通して第１の挿入室１２１に挿入・固定することで、圧着部２１以降のリード線２０がハウジング１の外に延出するようにする（図３参照）。
【０１０９】
なお、中空柱形状コンタクト２を先にハウジング１に挿入し、Ｊ字型コンタクト３を後にハウジング１に挿入してもよく、中空柱形状コンタクト２とＪ字型コンタクト３を同時にハウジング１に挿入してもよい。
【０１１０】
次に、図４に示されるように、カバー５の他片５２に形成されたリード線挿通溝５ａ・５ｂに各リード線２０・３０が囲まれるように、カバー５とハウジング１を配置する。このとき、カバー５の一片５１の先端は、一定の間隔を有して、ナット４が保持される切り欠き溝１４に対向している。又、カバー５の他片５２は、一定の間隔を有して、ハウジング１の裏面１ｂに対向している。
【０１１１】
次に、図４に示されるように、カバー５の他片５２とハウジング１の裏面１ｂを相互に近づけ、カバー５の他片５２の両端５ｃ・５ｄを一対のガイド溝１５ａ・１５ｂに侵入させる。この間、各リード線２０・３０は各リード線挿通溝５ａ・５ｂに囲まれている。
【０１１２】
次に、カバー５を第１側面１ｃから第２側面１ｄに向って所定距離スライドさせる。そして、図６に示されるように、ハウジング１の一対のガイド溝１５ａ・１５ｂにカバー５の他片５２の両端５ｃ・５ｄがスライドして嵌合した状態では、カバー５の一片５１はナット４が保持される切り欠き溝１４を閉塞し、カバー５の他片５２はハウジング１の裏面１ｂを閉塞する。
【０１１３】
以下、図面を参照して本発明の一実施形態のジャックを詳細に説明する。
【０１１４】
図１は、本実施形態のジャックのハウジング１に、中空であって柱形状をしているコンタクト（「中空柱形状コンタクト」）２及び、弾性可動接触子を有する断面形状がＪ字型となるコンタクト（「Ｊ字型コンタクト」）３を、ハウジング１の裏面１ｂに配置される内部に挿入するための開口（コンタクト挿入開口）に挿入しようとする様子を示している。
【０１１５】
ハウジング１は、全体として略直方体形状をしており、図中右上に見える裏面１ｂと、この裏面１ｂの４つの辺に接する４つの側面と、図１では左下向きで見えないが、図７において左向きに見えている表面１ａで囲まれている。４つの側面のうち、図１の奥に隠れている第１側面１ｃにはナット４が挿入される切り欠き溝１４が形成されている。手前に見えている第３側面１ｅには、略中央部に窓１２７が設けられ、その中には、肉薄になった小片（又はランス）１２６が配置されている。
【０１１６】
この第１側面１ｃ側にハウジング１の裏面１ｂから延出された一対の柱形状片１４１・１４２が形成される。この一対の柱形状片１４１・１４２間に切り欠き溝１４が設けられている。
【０１１７】
ハウジング１の裏面１ｂには、一対のガイド溝１５ａ・１５ｂが設けられている。この一対のガイド溝１５ａ・１５ｂは互いに対向しており、更に、この一対のガイド溝１５ａ・１５ｂは、切り欠き溝１４が形成される第１側面１ｃからこの第１側面１ｃに対向する第２側面１ｄに至っている。
【０１１８】
一対のガイド溝１５ａ・１５ｂは、ハウジング１の裏面１ｂに略平行に形成されている。一対のガイド溝１５ａ・１５ｂにおける上側の両辺１５１・１５２は、ガイド溝１５ａ・１５ｂを形づくる一方の壁を形成し、後に述べるカバー５の他片５２を一対のガイド溝１５ａ・１５ｂに沿ってスライドさせたときに、カバー５がハウジング１から離れないように保持する機能を有している。
【０１１９】
一対のガイド溝１５ａ・１５ｂは、ハウジング１の裏面１ｂに形成された一対の段差部１８１・１８２によっても側壁が形作られている。これら一対の段差部１８１・１８２を含む一対のガイド溝１５ａ・１５ｂは、ハウジング１の第２側面１ｄ方向に開口しており、前記一対のガイド溝１５ａ・１５ｂを前記第２側面１ｄ側から見た場合、Ｗ字形状若しくは横倒しＥ字形状をしている。
【０１２０】
又、ハウジング１の裏面１ｂの他端部側における真中にあるラッチ部１８は、後に述べるロックアーム５４を有するカバー５がスライドして、ハウジング１の裏面１ｂにある開口を閉塞する際に、カバー５をハウジング１にロックする機能を有している。
【０１２１】
図１において、コンタクト挿入開口１３（図１３参照）に含まれる第２の開口１３２は、その断面形状がＪ字状に見えるＪ字型コンタクト３を第２の挿入室１２２（図１３参照）に挿入できるように開口している。Ｊ字型コンタクト３は、コンタクト本体３ａと、リード線３０を保持する第２の圧着部３１と、から構成される。
【０１２２】
コンタクト本体３ａは、矩形の背面板３ｃと、背面板３ｃの両側に配置された一対のガイド板３１１・３１２と、を含んでいる。背面板３ｃには、その略中央に、上述の楔隆起部材の一実施例である楔型に隆起した部材（又はランス）３ｆがあり、小片１２６と係合することができる。
【０１２３】
図１において、Ｊ字型コンタクト３をハウジング１の第２の挿入室１２２（図１３参照）に挿入して所定の位置に固定した後、中空柱形状コンタクト２をコンタクト挿入口となる第１の開口１３１からハウジング１内部に挿入する。
【０１２４】
図１に示されるように、中空柱形状コンタクト２は、円筒状のコンタクト本体２ａと、一対のＬ字型舌片２２１・２２２と、リード線２０を圧着する第１の圧着部２１と、から構成される。第１の圧着部２１は、リード線２０を被覆材の上から圧着するインシュレーショングリップ２１ａと、リード線２０の芯材を圧着するコンダクタグリップ２１ｂとを含んでよい。中空柱形状コンタクト２は、上記各部材が柱軸に沿って平行に配列されている。
【０１２５】
図１において、中空柱形状コンタクト２の先端は、図中下を向いているが、中空の円筒状のコンタクト本体３ａを板金から作成したのと同様の方法で閉鎖することができる。先端は、ジャックの規格や見栄えその他の理由で本実施形態では球状にされている。
【０１２６】
図１において、中空柱形状コンタクト２は、その一方のＬ字型舌片２２１をランス１７と段差部１８１に形成された段差壁にはめ込まれるように、第１の開口１３１を通して柱挿入開口１３ａに挿入される（図９参照）。
【０１２７】
図３に示されるように、中空柱形状コンタクト２は、第１の開口１３１を通して柱挿入開口１３ａに挿入され、所定の位置に固定されている。一対のＬ字型舌片２２１・２２２における柱軸側の端面は、柱挿入開口１３ａの周囲に形成される段差部１８１の底壁（図９及び図１１参照）に当接し、一対のＬ字型舌片２２１・２２２の更なる挿入進行を阻止する。これにより、中空柱形状コンタクト２の挿入進行が止められる。
【０１２８】
図１において、中空柱形状コンタクト２及びＪ字型コンタクト３がハウジング１に挿入され、それぞれの圧着部２１・３１がハウジング１の裏面１ｂ側の段差部１８１・１８２にそれぞれ収納されている。図５に示されるように、中空柱形状コンタクト２及びＪ字型コンタクト３におけるそれぞれのリード線２０・３０がハウジング１の裏面１ｂ側から延出した状態で、カバー５がハウジング１に装着される。
【０１２９】
次に、本発明のジャックの構成を補足しつつ、本発明のジャックの作用を説明する。
【０１３０】
図８に示されるように、カバー５の他片５２の一端部側にリード線２０・３０が延出可能なリード線挿通溝５ａ・５ｂが設けられる。そして、カバー５の他片５２の両端５ｃ・５ｄが一対のガイド溝１５ａ・１５ｂ（図９参照）にスライド可能に嵌合される。
【０１３１】
図８に示されるように、カバー５の他片５２の両端５ｃ・５ｄは、櫛歯状の凹凸部が形成される。一方、図９に示されるように、一対のガイド溝１５ａ・１５ｂを形成する対向する両辺１５１・１５２はカバー５の凹凸部に対応する櫛歯状の凹凸部が形成される。
【０１３２】
そして、図５に示されるように、カバー５の他片５２をハウジング１の裏面１ｂに向ってリード線２０・３０の延出方向と平行に移動するときに、カバー５の他片５２の両端５ｃ・５ｄが一対のガイド溝１５ａ・１５ｂに侵入可能となる。
【０１３３】
ここで、図８に示されたカバー５の他片５２の両端５ｃ・５ｄは複数の一対の凹部５０ｃ・５０ｄが形成されると考えられてよく、それぞれの凹部５０ｃ・５０ｄ間が一対の凸部５１ｃ・５１ｄを形成すると考えられてよい。なお、カバー５の他片５２の他端部側に形成された一対の隆起部５ｅ・５ｆも前記凸部５１ｃ・５１ｄに含まれてよい。そして、この複数の凸部５１ｃ・５１ｄの先端面は揃っており、この先端面がガイド溝１５ａ・１５ｂのスライド面をなしていると考えられてよい。
【０１３４】
一方、図９に示された一対のガイド溝１５ａ・１５ｂを形成する対向する両辺１５１・１５２は、カバー５の他片５２の両端５ｃ・５ｄに形成された複数の凸部５１ｃ・５１ｄが侵入可能な複数の凹部１５ｃ・１５ｄが形成されると考えられてよく、前記凹部１５ｃ・１５ｄ間が凸部を形成すると考えられてよい。
【０１３５】
図５に示されるように、カバー５の他片５２の両端５ｃ・５ｄが一対のガイド溝１５ａ・１５ｂに侵入される直前の状態から、カバー５をハウジング１に侵入させると、図６に示されるカバー５の他片５２の裏面（ハウジング１の裏面１ｂの対抗面）は、ハウジング１の裏面１ｂに当接する。なお、この時、カバー５の他片５２の他端部に形成された一対の隆起部５ｅ・５ｆの先端面は、図９に示される一対の段差部１８１・１８２の底面に当接する。
【０１３６】
そして、カバー５の他片５２をハウジング１の第１側面１ｃから第２側面１ｄに向ってスライドすると、図７に示されるように、カバー５の一片５１はナット４が保持される切り欠き溝１４を閉塞する。又、図６に示されるように、カバー５の他片５２はハウジング１の裏面１ｂを閉塞する。
【０１３７】
なお、図８に示されるように、カバー５の他片５２の裏面には凹部５５が設けられている。カバー５の他片５２がハウジング１の裏面１ｂに向って侵入するときに、この凹部５５は、図９に示されるランス１７及びランス１７に隣接する立柱１７ａと衝突するのを回避している。又、この凹部５５は、カバー５がスライドするときに、ランス１７及び立柱１７ａによって案内される機能も有している。
【０１３８】
図８に示されるように、カバー５の一片５１の先端部には、円弧状の溝５１ｓとＶ字状の溝５１ｖが形成されている。円弧状の溝５１ｓの内径は、円柱形状のナット本体４ａ（図２参照）の外径より僅かに大きくなっている。一方、Ｖ字状の溝５１ｖの開き角度は、側周囲が六角形のフランジ４ｂ（図２参照）の角部より僅かに大きくなっている。
【０１３９】
一片５１の先端部に円弧状の溝５１ｓとＶ字状の溝５１ｖが形成されているカバー５が、ナット４が保持される切り欠き溝１４を閉塞することにより、ナット４がハウジング１に対して移動することを防止している。
【０１４０】
一方、カバー５の他片５２は、ハウジング１の裏面１ｂから延出している中空柱形状コンタクト２及びＪ字型コンタクト３を閉塞する。より具体的には、図３に示されるように、カバー５の他片５２は、ハウジング１の裏面１ｂに表出する一対のＬ字型舌片２２１・２２２及び当接片３ｆを閉塞する。
【０１４１】
このように、カバー５の他片５２が中空柱形状コンタクト２及びＪ字型コンタクト３を閉塞することにより、この発明のジャックに相手側プラグが挿入されたときに、中空柱形状コンタクト２及びＪ字型コンタクト３が後退することを防止できる。更に、この発明のジャックは、カバー５をハウジング１に装着するときに、スライド量（ストローク）を少なく容易に装着できる構造となっている。
【０１４２】
次に、本発明のジャックにおける別の特徴を説明する。図１に示されるように、ハウジング１は、裏面１ｂから延出される一組のリード線２０・３０と平行に第１側面１ｃから延出される一対の柱形状片１４１・１４２が設けられている。一方、図３に示されるように、カバー５の他片５２は、一対のリード線挿通溝５ａ・５ｂが形成される隆起部５３ａ・５３ｂが設けられている。
【０１４３】
図５に示されるように、裏面１ｂから延出される一組のリード線２０・３０をリード線挿通溝５ａ・５ｂが囲った状態で、カバー５の他片５２を一対のガイド溝１５ａ・１５ｂに侵入させる。
【０１４４】
そして、カバー５の他片５２をハウジング１の裏面１ｂと平行にスライドすると、図６に示されるように、一組のリード線２０・３０は一対の柱形状片１４１・１４２と一対の隆起部５３ａ・５３ｂでそれぞれ包囲される。なお、この時、一対のリード線挿通溝５ａ・５ｂはコンタクト挿入開口１３（第１の開口１３１及び第２の開口１３２）とつながっている。
【０１４５】
ここで、一組のリード線２０・３０を一対のリード線挿通溝５ａ・５ｂが囲った状態とは、圧着部２１・３１（図１参照）以降のリード線２０・３０をそれぞれ囲った状態を含んでいる。又、一対の柱形状片１４１・１４２はハウジング１の一部と見なされてよく、リード線挿通溝５ａ・５ｂはコンタクト挿入開口１３とつながり、ハウジング１とカバー５で包囲された圧着部２１・３１以降のリード線２０・３０をジャック外に延出している。
【０１４６】
このように構成されたジャックは、圧着部２１・３１及び圧着部２１・３１近傍のリード線２０・３０を外部から機械的変形を受けにくいものとしている。同時に、外部からの物理的及び電気的な接触を遮蔽できる構造としている。特に、使用時において圧着部２１・３１が視覚的にも遮蔽されるので、使用者に安全感を与えられると考えられる。
【０１４７】
又、本発明のジャックは、カバー５がハウジング１にロックされることを特徴としている。図８に示されるように、カバー５の他片５２の他端部側に楔状のロックアーム５４が突出形成されている。
【０１４８】
一方、図９に示されるように、ハウジング１の裏面１ｂの他端部側にラッチ部１８が設けられている。図１２の断面図にも示されるように、ラッチ部１８は、第１側面１ｃ寄りに裏面１ｂから陥没するように凹部１８ａが形成され、第２側面１ｄ寄りに裏面１ｂからの段差となる切り欠き溝１８ｃが形成されている。
【０１４９】
このように、ラッチ部１８は凹部１８ａと切り欠き溝１８ｃを両側にもつ凸状に形成され、第１側面１ｃ寄りに斜面１８ｂが設けられ、第２側面１ｄ寄りの角部は略直角に形成されている。ラッチ部１８の上面はハウジング１の裏面１ｂと面一になっている。
【０１５０】
図５に示された状態から、カバー５の他片５２をハウジング１の裏面１ｂに侵入させると、ロックアーム５４は凹部１８ａに侵入される。次に、カバー５の他片５２を第１側面１ｃから第２側面１ｄに向ってスライドすると、ロックアーム５４に形成された斜面にラッチ部１８の斜面１８ｂが接触する。
【０１５１】
更に、カバー５の他片５２をスライドすると、カバー５の他片５２の両端５ｃ・５ｄは一対のガイド溝１５ａ・１５ｂで保持されているので、ロックアーム５４は斜面１８ｂを乗り上げるべく、上側にたわむ。更に、カバー５の他片５２をスライドすると、ロックアーム５４は斜面１８ｂを乗り越えて、切り欠き溝１８ｃに陥没し、ロックアーム５４がハウジング１に係止される。
【０１５２】
このように、本発明のジャックは、スライドするカバー５にロック機構を設けて、一度、カバー５でハウジング１を閉塞したら、容易に開けにくい構造としている。なお、図８に示されるようにロックアーム５４の両翼となるカバー５の他片５２の他端部側から一対のスリットを設け、カバー５の他片５２の他端部側をこじ開けて、強制的にロックを解除することもできる。
【０１５３】
図７は、以上のようにして、コンタクト挿入開口１３及びナット４が保持される切り欠き溝１４がカバー５で閉じられた状態を示している。このようにして完成したジャックは大変コンパクトな形状をしている。ハウジング１の第１側面１ｃ側に位置固定されたナット４は、このジャックが使われる機器のフレームやパネルに取り付けるために使用することができる。
【０１５４】
又、図７において、ハウジング１の表面１ａの略中央に開いた丸い開口は、ジャックに接続される相手側プラグなどの外部端子が挿入されるプラグ挿入口１１である。本実施形態において、プラグ挿入口１１は、ハウジング１の表面１ａから突出した円筒に設けられている。プラグ挿入口１１から、中空柱形状コンタクト２の先端部が見えている。又、Ｊ字型コンタクト３の弾性可動接触子が第２の挿入室１２２（図１３参照）の開口部分より見えている。
【０１５５】
これら２つのコンタクトはそれぞれに正負又は正とアースのような関係で用いることができる。本実施例のジャックは、組立及び分解がいつでも可能となっており、分解する時にはロック機構を解除して上述とは逆の動きを各部品にさせればよいことになる。
【０１５６】
本発明の一実施例であるジャック７は、例えば、図１５に示されるノートパソコン７０に適用されてもよい。このジャック７は、ノートパソコン７０の電源ジャックである。相手側プラグが接続される開口から、中空柱形状のコンタクトの先端にその特徴的な模様である十字が見えている。このようなノートパソコンだけでなく、本発明のジャックはあらゆる電気機器に適用することができる。又、その適用範囲は電源だけでなく、電気信号を取り出したり、受け取ったりするあらゆる種類のジャックに応用することができる。
【図面の簡単な説明】
【０１５７】
【図１】本発明の一実施形態によるジャックの組立手順（コンタクトの挿入）を示す斜視外観図である。
【図２】本発明の前記一実施形態によるジャックの組立手順（ナットの挿入）を示す斜視外観図である。
【図３】本発明の前記一実施形態によるジャックの組立手順（カバーの係合前）を示す斜視外観図である。
【図４】本発明の前記一実施形態によるジャックの組立手順（カバーの係合後）を示す斜視外観図である。
【図５】本発明の前記一実施形態によるジャックの組立手順（カバーの侵入）を示す斜視外観図である。
【図６】本発明の前記一実施形態によるジャックの組立手順（組立完成）を示す斜視外観図である。
【図７】本発明の前記一実施形態によるジャックを表側から見た斜視外観図である。
【図８】本発明の前記一実施形態によるカバーを裏側から見た斜視外観図である。
【図９】本発明の前記一実施形態によるハウジングを裏側から見た斜視外観図である。
【図１０】本発明の前記一実施形態によるＪ字型コンタクトの斜視外観図である。
【図１１】本発明の前記一実施形態によるハウジングの平面図である。
【図１２】図１１のＡ−Ａ矢視断面図である。
【図１３】図１１のＢ−Ｂ矢視断面図である。
【図１４】図１１のＣ−Ｃ矢視断面図である。
【図１５】本発明の前記一実施形態によるジャックを適用した電気機器を示す斜視外観図である。
【図１６】従来技術によるジャックの斜視外観図である。
【符号の説明】
【０１５８】
１    ハウジング
１ａ    一方の面（表面）
１ｂ    他方の面（裏面）
１ｃ    第１側面
１ｄ    第２側面
２    中空柱形状コンタクト
２ｂ    基端部
３    Ｊ字型コンタクト
３ｃ    背面板
３ｄ    屈曲部
３ｅ    弾性可動接触子
４    ナット
５    カバー
５ａ・５ｂ    リード線挿通溝
５ｃ・５ｄ    両端
１１    プラグ挿入口
１３    コンタクト挿入開口
１３ａ    柱挿入開口
１４    切り欠き溝
１５ａ・１５ｂ    ガイド溝
１７    第１の係止部（ランス）
１８    ラッチ部
２０・３０    リード線
２１    第１の圧着部
３１    第２の圧着部
５１    カバーの一片
５２    カバーの他片
５３ａ・５３ｂ    隆起部
５４    ロックアーム
１２１    第１の挿入室（コンタクト挿入室）
１２２    第２の挿入室（コンタクト挿入室）
１３１    第１の開口
１３２    第２の開口
１４１・１４２    柱形状片
１５１・１５２    両辺
１８１    第２の係止部（段差部）
１９１・１９２    一対のスリット
２２１・２２２    Ｌ字型舌片
３１１・３１２    一対のガイド板
【図１】
2006080009.tif 000003
【図２】
2006080009.tif 000004
【図３】
2006080009.tif 000005
【図４】
2006080009.tif 000006
【図５】
2006080009.tif 000007
【図６】
2006080009.tif 000008
【図７】
2006080009.tif 000009
【図８】
2006080009.tif 000010
【図９】
2006080009.tif 000011
【図１０】
2006080009.tif 000012
【図１１】
2006080009.tif 000013
【図１２】
2006080009.tif 000014
【図１３】
2006080009.tif 000015
【図１４】
2006080009.tif 000016
【図１５】
2006080009.tif 000017
【図１６】
2006080009.tif 000018